(57)【特許請求の範囲】
【請求項１】
被検体を撮影する医用画像診断装置において、
表示部と、
ネットワークを介して、他の装置への共有の撮影プロトコルの配信または他の装置からの共有の撮影プロトコルの受信の少なくとも一方を行なうプロトコル通信部と、
受信した前記共有の撮影プロトコルを複数格納するプロトコル格納部と、
複数の前記共有の撮影プロトコルの配置ルールに従って、前記複数の前記共有の撮影プロトコルを前記表示部の表示領域に配置して表示させるとともに、使用する撮影プロトコルの選択を受け付ける撮影プロトコル選択部と、
前記撮影プロトコル選択部で選択された撮影プロトコルを用いて前記撮影の制御を行う撮影制御部と、
を備えて、
前記撮影プロトコル選択部は、
前記複数の前記共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、
前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する、
医用画像診断装置。
【請求項２】
前記プロトコル通信部は、
前記共有の撮影プロトコルの配信先、配信条件を含むプロトコル配信情報を記憶し、そのプロトコル配信情報に基づいて、他の装置へ前記共有の撮影プロトコルの配信を行なう
請求項１記載の医用画像診断装置。
【請求項３】
前記プロトコル通信部は、
前記共有の撮影プロトコルの配信元、取得条件を含むプロトコル取得情報を記憶し、そのプロトコル取得情報に基づいて、他の装置へ前記共有の撮影プロトコルの配信を行なう
請求項１に記載の医用画像診断装置。
【請求項４】
前記プロトコル通信部は、
他の装置からの前記共有の撮影プロトコルを受信し、
前記撮影プロトコル選択部は、
前記表示部の表示領域においてコンソールの表示画面を形成し、受信した前記共有の撮影プロトコルをそのコンソールの表示画面に表示させる
請求項１から３のいずれか１項に記載の医用画像診断装置。
【請求項５】
前記プロトコル通信部は、
前記共有の撮影プロトコルを配置する位置またはその共有の撮影プロトコルの設定値の変更に関する情報を他の装置から取得し、
前記撮影プロトコル選択部は、
取得した前記変更に関する情報に基づいて、前記共有の撮影プロトコルの配置する位置またはその共有の撮影プロトコルの設定値を前記コンソールの表示画面上で変更して表示させる
請求項４に記載の医用画像診断装置。
【請求項６】
前記共有の撮影プロトコルに対し、前記表示部の表示領域に配置する配置ルールの同期を取る配置設定同期部をさらに備え、
前記撮影プロトコル選択部は、
前記配置設定同期部によって同期が取られた前記配置ルールにより、前記コンソールの表示画面に表示される前記共有の撮影プロトコルの画面構成を、他の装置のコンソールの表示画面に表示される前記共有の撮影プロトコルの画面構成と同一の画面構成となるように変更して表示させる
請求項４または５に記載の医用画像診断装置。
【請求項７】
前記撮影プロトコル選択部は、
前記配置ルールに従って、予め標準位置による指定された位置に、前記共有の撮影プロトコルを配置するか、またはユーザによって配置する位置が変更された位置に、前記共有の撮影プロトコルを配置するかの選択を受け付け、受け付けた前記共有の撮影プロトコルの配置する位置を設定する
請求項１から６のいずれか１項に記載の医用画像診断装置。
【請求項８】
前記配置ルールにおいて前記共有の撮影プロトコルごとに優先順位を割り当てて、
前記撮影プロトコル選択部は、
前記配置ルールで割り当てられた前記優先順位に基づいて、前記共有の撮影プロトコルの配置する位置を設定する
請求項１から７のいずれか１項に記載の医用画像診断装置。
【請求項９】
前記撮影プロトコル選択部は、
前記共有の撮影プロトコルに対し、ユーザごとに設定された前記配置ルールに従って、前記共有の撮影プロトコルを前記表示部に表示させる
請求項１から８のいずれか１項に記載の医用画像診断装置。
【請求項１０】
ネットワークを介して被検体を撮影する医用画像診断装置に接続される医用情報処理サーバであって、
前記医用情報処理サーバは、
他の装置への共有の撮影プロトコルの配信または他の装置からの共有の撮影プロトコルの受信の少なくとも一方を行なうプロトコル通信部と、
受信した前記共有の撮影プロトコルを格納するプロトコル格納部と、を備え、
前記プロトコル通信部は、
共有の撮影プロトコルの配信先、配信条件を含むプロトコル配信情報または共有の撮影プロトコルの配信元、取得条件を含むプロトコル取得情報を格納し、前記プロトコル配信情報または前記プロトコル取得情報に基づいて、他の装置へ前記共有の撮影プロトコルの配信を実行し、
前記医用画像診断装置は、
配信された複数の前記共有の撮影プロトコルの配置ルールに従って、前記複数の前記共有の撮影プロトコルを表示部の表示領域に配置して表示させるとともに、使用する撮影プロトコルの選択を受け付ける撮影プロトコル選択部と、
前記撮影プロトコル選択部で選択された撮影プロトコルを用いて前記撮影の制御を行う撮影制御部と、を有して、
前記撮影プロトコル選択部は、
前記複数の前記共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、
前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する、
医用情報処理サーバ。
【請求項１１】
２以上の医用画像診断装置を備える医用画像診断システムであって、
前記医用画像診断装置は、
表示部と、
被検体を撮影するための設定を示す撮影プロトコルを取得するプロトコル取得部と、
取得した前記撮影プロトコルを共有するために格納するプロトコル格納部と、
前記表示部の表示領域によってコンソールに表示画面を形成し、前記撮影プロトコルを配置する配置ルールに従って、前記コンソールの表示画面上に前記撮影プロトコルの配置する位置を設定するプロトコル配置設定部と、
設定された前記コンソールの表示画面に複数の共有の前記撮影プロトコルを配置して、前記複数の共有の撮影プロトコルを表示する撮影プロトコル表示制御部と、を備え、
第１の前記医用画像診断装置は、
第２の前記医用画像診断装置のコンソールの表示画面上に配置された前記複数の共有の撮影プロトコルと同一の撮影プロトコルを、前記第２の医用画像診断装置の前記コンソールの表示画面と同じ位置に配置して、前記コンソールの表示画面に表示し、
前記撮影プロトコル表示制御部は、
前記複数の共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、
前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する、
医用画像診断システム。
【発明の詳細な説明】
【技術分野】
【０００１】
本発明の実施形態は、医用画像診断装置、医用情報処理サーバおよび医用画像診断システムに関する。
【背景技術】
【０００２】
現在の医療においては、患者の検査内容や検査の部位に応じて、適切な撮影プロトコルが選択されたりまたは調整されて、検査を実施するようになっている。例えば、医師や検査技師は、医療機器メーカから提供される撮影条件のプリセットと、患者データとを利用して、患者ごとの撮影条件を調整している。
【０００３】
ここで、プリセットとは、利用目的や使用環境の違いに応じて、複数の設定値の調整が必要な場合に、事前に利用者が調整を行って目的別の設定値のセットを作成し、使用時に一括して設定を切り替えることを意味している。
【０００４】
ところで、一般的に、同じモデルや同じバージョンの医療機器、例えば、Ｘ線ＣＴ装置の場合、同一名称の撮影プロトコルを他のＸ線ＣＴ装置でも使用することが多い。また、撮影プロトコルをコンソールの表示画面上に表示する際、撮影プロトコルの配置は、標準配置の位置が予め決定されている。
【０００５】
また、撮影プロトコルは、コンソールにおいて、任意に追加したり、削除したり、別途、変更や調整することもできる。そのため、同一名称の撮影プロトコルであっても、装置ごとに設定されているパラメータの値が異なることが生じたり、コンソールによっては、撮影プロトコル自体の削除や追加により装置ごとに撮影プロトコルが存在するものと存在しないものが生じ得る。
【０００６】
このような医用画像診断装置に関する画像診断装置として、検査で使用するプロトコルの変更履歴を記録して、その変更履歴に基づいて、プロトコルの変更情報を検知し、そのプロトコルの変更情報を表示する画像診断装置が提案されている（特許文献１参照）。
【先行技術文献】
【特許文献】
【０００７】
【特許文献１】特開２００６−２３１０４０号公報
【発明の概要】
【発明が解決しようとする課題】
【０００８】
ここで、同じモデルや同じバージョンの医療機器として、あるＸ線ＣＴ装置において使用（設定）されている撮影プロトコルを他のＸ線ＣＴ装置で共有することを検討する。
【０００９】
例えば、医師や検査技師などのユーザが、あるＸ線ＣＴ装置で編集した撮影プロトコルの配置をそのＸ線ＣＴ装置において優先的に配置するように設定すると、コンソールに配置される撮影プロトコルの位置は標準位置とは異なる配置となる。この場合、コンソールに表示される撮影プロトコルは、ユーザの設定によって配置位置がコンソールごと異なることとなる。
【００１０】
また、撮影プロトコルを表示するコンソールの標準配置は予め設定されているが、標準配置の撮影プロトコルを表示している場合は、撮影プロトコルを共有することができないので、ユーザが編集した撮影プロトコルの内容を削除する必要が生じ得る。
【００１１】
すなわち、撮影プロトコルを有する装置において、装置ごとに撮影プロトコルが異なる現状があり、撮影プロトコルを装置で共有する場合は、一方の撮影プロトコルを削除する必要が生じ、表示される撮影プロトコルの取り違いや、撮影条件に誤りが生じる可能性があった。
【００１２】
そこで、撮影プロトコルを共有するとともに、その共有する撮影プロトコルを用いて、被検体の撮影を行うことができる医用画像診断装置、医用情報処理サーバおよび医用画像診断システムが望まれていた。
【課題を解決するための手段】
【００１３】
本実施形態に係る医用画像診断装置は、被検体を撮影する医用画像診断装置において、表示部と、ネットワークを介して、他の装置への共有の撮影プロトコルの配信または他の装置からの共有の撮影プロトコルの受信の少なくとも一方を行なうプロトコル通信部と、受信した前記共有の撮影プロトコルを複数格納するプロトコル格納部と、複数の前記共有の撮影プロトコルの配置ルールに従って、前記複数の前記共有の撮影プロトコルを前記表示部の表示領域に配置して表示させるとともに、使用する撮影プロトコルの選択を受け付ける撮影プロトコル選択部と、前記撮影プロトコル選択部で選択された撮影プロトコルを用いて前記撮影の制御を行う撮影制御部と、を備えて、前記撮影プロトコル選択部は、前記複数の前記共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する。
【００１４】
本実施形態に係る医用情報処理サーバは、ネットワークを介して被検体を撮影する医用画像診断装置に接続される医用情報処理サーバであって、前記医用情報処理サーバは、他の装置への共有の撮影プロトコルの配信または他の装置からの共有の撮影プロトコルの受信の少なくとも一方を行なうプロトコル通信部と、受信した前記共有の撮影プロトコルを格納するプロトコル格納部と、を備え、前記プロトコル通信部は、共有の撮影プロトコルの配信先、配信条件を含むプロトコル配信情報または共有の撮影プロトコルの配信元、取得条件を含むプロトコル取得情報を格納し、前記プロトコル配信情報または前記プロトコル取得情報に基づいて、他の装置へ前記共有の撮影プロトコルの配信を実行し、前記医用画像診断装置は、配信された複数の前記共有の撮影プロトコルの配置ルールに従って、前記複数の前記共有の撮影プロトコルを表示部の表示領域に配置して表示させるとともに、使用する撮影プロトコルの選択を受け付ける撮影プロトコル選択部と、前記撮影プロトコル選択部で選択された撮影プロトコルを用いて前記撮影の制御を行う撮影制御部と、を有して、前記撮影プロトコル選択部は、前記複数の前記共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する。
【００１５】
本実施形態に係る医用画像診断システムは、２以上の医用画像診断装置を備える医用画像診断システムであって、前記医用画像診断装置は、表示部と、被検体を撮影するための設定を示す撮影プロトコルを取得するプロトコル取得部と、取得した前記撮影プロトコルを共有するために格納するプロトコル格納部と、前記表示部の表示領域によってコンソールに表示画面を形成し、前記撮影プロトコルを配置する配置ルールに従って、前記コンソールの表示画面上に前記撮影プロトコルの配置する位置を設定するプロトコル配置設定部と、設定された前記コンソールの表示画面に複数の共有の前記撮影プロトコルを配置して、前記複数の共有の撮影プロトコルを表示する撮影プロトコル表示制御部と、を備える。第１の前記医用画像診断装置は、第２の前記医用画像診断装置のコンソールの表示画面上に配置された前記複数の共有の撮影プロトコルと同一の撮影プロトコルを、前記第２の医用画像診断装置の前記コンソールの表示画面と同じ位置に配置して、前記コンソールの表示画面に表示し、前記撮影プロトコル表示制御部は、前記複数の共有の撮影プロトコルの少なくとも１つが編集によって修正された修正履歴を示すアイコンを、前記表示領域内における当該修正をうけた撮影プロトコルが配置された領域に少なくとも一部を重畳させて表示し、または当該領域の近傍に表示し、前記修正履歴を示すアイコンを表示させる際に、修正された設定値がどの設定値かをアイコンで特定可能なように、前記修正をうけた撮影プロトコルの複数の設定値のうち修正された設定値に対応するアイコンを表示するとともに、前記修正された設定値の修正前と修正後との間の変更度合いに応じて前記修正された設定値に対応するアイコンの表示形態を変更して表示する。
【図面の簡単な説明】
【００１６】
【図１】本実施形態に係る医用画像診断装置を複数台備える撮影プロトコル共有システムの概略の構成の一例を示した概略構成図。
【図２】本実施形態に係る医用画像診断装置の概略の構成の一例を示した概略構成図。
【図３】本実施形態に係る医用画像診断装置の構成を示すハードウエアブロック図。
【図４】本実施形態に係る医用画像診断装置が、撮影プロトコルを外部から取得し、表示部を備えるコンソールにおいて、その撮影プロトコルを表示する撮影プロトコル表示処理を示したフローチャート。
【図５】本実施形態に係る医用画像診断装置が、撮影プロトコルを共有する態様を示した説明図。
【図６】本実施形態に係る医用画像診断装置のプロトコル配置設定部が、ユーザの選択により、撮影プロトコルを配置する位置を選択する例を示した説明図。
【図７】本実施形態に係る医用画像診断装置のプロトコル配置設定部が、ユーザの選択により、表示部上での配置位置を撮影コンソールごとに確保して配置を選択する例を示した説明図。
【図８】本実施形態に係る医用画像診断装置のプロトコル配置設定部が、ログインするユーザごとに予め配置位置が決定されており、その決定されている配置位置に撮影プロトコルを配置する例を示した説明図。
【図９】本実施形態に係る医用画像診断装置の撮影プロトコル表示制御部が、配置ルールに従って、設定されたコンソール上の配置位置に撮影プロトコルを配置し、その撮影プロトコルを表示部に表示した場合の説明図。
【図１０】本実施形態に係る医用画像診断装置において、配置ルールに優先順位を割り当てる第１の優先度の設定方法を示した説明図。
【図１１】本実施形態に係る医用画像診断装置において、配置ルールに優先順位を割り当てる第２の優先度の設定方法を示した説明図。
【図１２】第２の実施形態に係る医用画像診断装置の概略の構成の一例を示した概略構成図。
【図１３】本実施形態に係る医用画像診断装置の表示部上において、表示されている撮影プロトコルが修正された場所を示した一例を示す説明図。
【図１４】本実施形態に係る医用画像診断装置の表示部上において、表示されている撮影プロトコルが修正された場所をアイコンで示した一例を示す説明図。
【発明を実施するための形態】
【００１７】
（第１の実施形態）
以下、本実施形態に係る医用画像診断装置１００を備える撮影プロトコル共有システム（医用画像診断システム）６００について、添付図面を参照して説明する。
【００１８】
図１は、本実施形態に係る医用画像診断装置１００を複数台備える撮影プロトコル共有システム６００の概略の構成の一例を示した概略構成図である。なお、一例として、医用画像診断装置を２台用いた場合について説明するが、２台に限定されるものではない。
【００１９】
図１に示すように、撮影プロトコル共有システム６００は、医用画像診断装置（第１の医用画像診断装置）１００、医用画像診断装置（第２の医用画像診断装置）２００、配信サーバ（医用情報処理サーバ）３００、承認装置４００およびネットワーク５００などを備えて構成されている。医用画像診断装置２００は、医用画像診断装置１００と同一の機能を有し、同一の構成を有する医用画像診断装置とする。
【００２０】
医用画像診断装置１００および２００は、被検体を撮影するための装置（撮影装置）であり、被検体を撮影する撮影部１０Ａまたは撮影部２０Ｂを備えるともに、コンソールＡまたはコンソールＢを備えている。例えば、医用画像診断装置１００は、撮影部１０ＡとコンソールＡを備えるとともに、医用画像診断装置２００は、撮影部２０ＢとコンソールＢを備えている。
【００２１】
医用画像診断装置１００および２００は、モダリティとして、Ｘ線ＣＴ（Computed Tomography）装置、ＭＲＩ（Magnetic Resonance Imaging）装置（磁気共鳴診断装置）、超音波診断装置、核医学診断装置などが該当する。本実施形態では、いずれの装置であっても医用画像診断装置１００および２００として適用することができる。また、医用画像診断装置１００および２００は、それぞれ撮影に必要な撮影プロトコルを保有しており、撮影時には、各装置がそれぞれ保有している撮影プロトコルを使用するようになっている。
【００２２】
また、医用画像診断装置１００と２００は、自装置の表示部と操作部とから構成されるコンソールを備え、撮影プロトコルをコンソール上に表示するようになっている。ここで、医用画像診断装置１００が有するコンソールをコンソールＡとし、また、医用画像診断装置２００が有するコンソールをコンソールＢとする。
【００２３】
配信サーバ３００は、撮影プロトコルを格納するデータサーバであって、格納する撮影プロトコルを、ネットワーク５００を介して医用画像診断装置１００や医用画像診断装置２００に送信する機能を備えている。すなわち、配信サーバ３００は、プロトコル通信部３１０と、プロトコル格納部３２０とを備えるようになっている。
【００２４】
プロトコル通信部３１０は、ネットワーク５００を介して、医用画像診断装置１００や医用画像診断装置２００などの他の装置へ共有する撮影プロトコル（以下、単に共有の撮影プロトコルともいう。）の配信、またはこれらの他の装置からの共有の撮影プロトコルの受信の少なくとも一方を行なう機能を備えている。
【００２５】
プロトコル格納部３２０は、受信した共有の撮影プロトコルを格納するようになっている。また、プロトコル格納部３２０は、共有の撮影プロトコルの配信先、配信条件を含むプロトコル配信情報や、共有の撮影プロトコルの配信元、取得条件を含むプロトコル取得情報を格納するようになっている。
【００２６】
これにより、配信サーバ３００は、プロトコル格納部３２０に格納するプロトコル配信情報に基づいて、医用画像診断装置１００や医用画像診断装置２００などの他の装置へ、共有の撮影プロトコルの配信を行なうことができる。また、配信サーバ３００は、プロトコル格納部３２０に格納するプロトコル取得情報に基づいて、医用画像診断装置１００や医用画像診断装置２００などの他の装置へ、共有の撮影プロトコルの配信を行なうこともできる。
【００２７】
承認装置４００は、配信サーバ３００に格納されている撮影プロトコルに対し、承認を行ったり、放射線技師や検査技師などによる修正や編集を受け付けるようになっている。
【００２８】
なお、承認装置４００は、配信サーバ３００と別個独立の機能として説明するが、配信サーバ３００の機能を内蔵し、承認装置４００において配信サーバ３００の機能を実現するようにしてもよい。また、配信サーバ３００は、承認装置４００の機能を内蔵し、配信サーバ３００において承認装置４００の機能を実現するようにしてもよい。
【００２９】
ネットワーク５００は、撮影プロトコル共有システム６００に接続されている各装置を相互に接続し、撮影プロトコルを共有したり、データ通信を行うようになっている。
【００３０】
本実施形態では、医用画像診断装置１００は、医用画像診断装置２００のコンソールＢの表示画面上に配置された撮影プロトコルと同一の撮影プロトコルを、医用画像診断装置２００のコンソールＢの表示画面と同じ位置に配置して、コンソールＡの表示画面に表示することができる。すなわち、医用画像診断装置１００は、コンソールＡにおいて、医用画像診断装置２００に表示される撮影プロトコルの画面構成と同一の画面構成を形成することができるようになっている。
【００３１】
例えば、医用画像診断装置２００は、ネットワーク５００を介して、医用画像診断装置２００で使用している撮影プロトコルを、共有の撮影プロトコルとして医用画像診断装置１００に送信する。または、配信サーバ３００は、配信サーバ３００に格納されている医用画像診断装置２００の撮影プロトコルを、共有の撮影プロトコルとして、ネットワーク５００を介して、医用画像診断装置１００に送信する。
【００３２】
これにより、本実施形態に係る医用画像診断装置１００は、医用画像診断装置２００で使用されている撮影プロトコルを受信し、その撮影プロトコルを共有の撮影プロトコルとしてコンソールＡに表示することができる。また、医用画像診断装置１００は、保有する撮影プロトコルを医用画像診断装置２００に送信し、医用画像診断装置２００に医用画像診断装置１００の画面構成と同一の画面構成を形成することもできる。
【００３３】
なお、医用画像診断装置２００は、医用画像診断装置１００と同一のモデルの撮影装置であり、医用画像診断装置１００と同一のバージョンであるものとする。
【００３４】
次に、本実施形態に係る医用画像診断装置１００の概略の構成について説明する。
【００３５】
図２は、本実施形態に係る医用画像診断装置１００の概略の構成の一例を示した概略構成図である。
【００３６】
図２に示すように、本実施形態に係る医用画像診断装置１００は、撮影部１０Ａと、コンソールＡとを備えている。コンソールＡは、プロトコル通信部１１５、撮影プロトコル選択部１４５、表示部１６０および撮影制御部１９０を備えて構成されている。
【００３７】
プロトコル通信部１１５は、ネットワークを介して、他の装置へ共有の撮影プロトコルの配信または他の装置からの共有の撮影プロトコルの受信の少なくとも一方を行なう機能を有している。
【００３８】
プロトコル通信部１１５は、共有の撮影プロトコルの配信先、配信条件を含むプロトコル配信情報を記憶し、そのプロトコル配信情報に基づいて、医用画像診断装置２００などの他の装置へ共有の撮影プロトコルの配信を行なう機能を有している。また、プロトコル通信部１１５は、共有の撮影プロトコルの配信元、取得条件を含むプロトコル取得情報を記憶し、そのプロトコル取得情報に基づいて、医用画像診断装置２００などの他の装置へ共有の撮影プロトコルの配信を行なうこともできる。
【００３９】
撮影プロトコル選択部１４５は、共有の撮影プロトコルの配置ルールに従って、共有の撮影プロトコルを表示部１６０の表示領域に配置して表示させるとともに、使用する撮影プロトコルの選択を受け付ける機能を有している。
【００４０】
表示部１６０は、配置位置に配置された撮影プロトコルを表示するようになっている。表示部１６０は、撮影プロトコルを表示することにより、例えば、医用画像診断装置１００のコンソールＡに表示される表示画面を撮影コンソールＡといい、また、医用画像診断装置２００のコンソールＢに表示される表示画面を撮影コンソールＢということにする。
【００４１】
撮影制御部１９０は、撮影プロトコル選択部１４５で選択された撮影プロトコルを用いて、撮影の制御を行う機能を有している。
【００４２】
プロトコル通信部１１５は、プロトコル取得部１１０、プロトコル格納部１２０、共有プロトコルデータベース１３０およびプロトコル送信部１７０を備えて構成されている。
【００４３】
プロトコル取得部１１０は、被検体を撮影するための設定を示す撮影プロトコルを取得するようになっている。なお、プロトコル取得部１１０は、撮影プロトコルを、医用画像診断装置２００から取得してもよく、また、配信サーバ３００から取得してもよい。
【００４４】
プロトコル格納部１２０は、取得した撮影プロトコルを共有するために共有プロトコルデータベース１３０にその撮影プロトコルを格納するようになっている。
【００４５】
なお、撮影プロトコルの共有とは、本実施形態では、他の医用画像診断装置（例えば、医用画像診断装置２００）や配信サーバ３００などの外部の装置（他の装置）で使用されたり格納されている撮影プロトコルを、自装置で使用することを含むとともに、また自装置で使用している撮影プロトコルを他の医用画像診断装置２００などで使用することも含むものとする。
【００４６】
共有プロトコルデータベース１３０は、使用する撮影プロトコルや共有の撮影プロトコルを格納するためのデータベースである。また、共有プロトコルデータベース１３０は、共有の撮影プロトコルの配信先、配信条件を含むプロトコル配信情報を記憶するとともに、共有の撮影プロトコルの配信元、取得条件を含むプロトコル取得情報を記憶するようになっている。
【００４７】
プロトコル送信部１７０は、撮影プロトコルに関する情報を外部の装置、例えば、医用画像診断装置２００や配信サーバ３００に送信をするようになっている。なお、撮影プロトコルに関する情報とは、コンソール上の撮影プロトコルの配置位置が変更された内容や撮影プロトコルの設定値が変更された内容に関する情報を含むものとする。
【００４８】
例えば、プロトコル送信部１７０は、撮影プロトコルに関する情報を配信サーバ３００に送信することにより、配信サーバ３００は、医用画像診断装置１００において配置位置が変更された撮影プロトコルの内容や設定値が変更された撮影プロトコルの内容を受信する。
【００４９】
これにより、プロトコル通信部１１５は、共有プロトコルデータベース１３０が記憶するプロトコル配信情報やプロトコル取得情報に基づいて、医用画像診断装置２００や配信サーバ３００などの他の装置へ共有の撮影プロトコルの配信を行なうことができる。
【００５０】
撮影プロトコル選択部１４５は、プロトコル配置設定部１４０および撮影プロトコル表示制御部１５０を備えて構成されている。
【００５１】
プロトコル配置設定部１４０は、表示部１６０の表示領域によってコンソールＡに表示画面を形成し、撮影プロトコルを配置する配置ルールに従って、コンソールＡの表示画面上に撮影プロトコルの配置する位置を設定するようになっている。
【００５２】
撮影プロトコル表示制御部１５０は、設定されたコンソールＡの表示画面に撮影プロトコルを配置して、共有する撮影プロトコル（前述の共有の撮影プロトコル）を表示するようになっている。また、撮影プロトコル表示制御部１５０は、コンソールＡにおいて撮影プロトコルの配置場所が変更された場合や撮影プロトコルの設定値が変更された場合には、変更された情報を表示部１６０に表示するとともに、プロトコル配置設定部１４０とプロトコル格納部１２０を介して、共有プロトコルデータベース１３０に変更内容を格納するようになっている。
【００５３】
このような構成を採用することにより、例えば、医用画像診断装置２００においても、医用画像診断装置１００のコンソールＡにおける撮影プロトコルの配置する位置または撮影プロトコルの設定値を、コンソールＢの表示画面に表示することができる。これにより、医用画像診断装置２００の表示部１６０は、撮影プロトコルの画面構成を医用画像診断装置１００と同一の画面構成にすることができる。
【００５４】
なお、プロトコル送信部１７０は必須の構成要素ではない。そのため、例えば、プロトコル送信部１７０は、医用画像診断装置１００または医用画像診断装置２００のいずれか一方にのみ設けてもよく、またいずれの装置もプロトコル送信部１７０を設けない構成であってもよい。
【００５５】
図３は、本実施形態に係る医用画像診断装置１００の構成を示すハードウエアブロック図である。
【００５６】
図３に示すように、本実施形態に係る医用画像診断装置１００は、ＣＰＵ（Central Processing Unit）１０１、ＲＯＭ（Read Only Memory）１０２、ＲＡＭ（Random Access Memory）１０３、ネットワークインターフェース部１０４、操作部１０５、表示部１０６、記憶部１０７、および内部バス１０８などを備えて構成されている。
【００５７】
ＣＰＵ１０１は、ＲＯＭ１０２に格納されている各種プログラムをＲＡＭ１０３にロードして、そのプログラムを展開することにより、各種プログラムの機能を実現することができる。ＲＡＭ１０３は、ワークエリア（作業用メモリ）として利用されるようになっている。ＲＯＭ１０２は、各種プログラムを格納するようになっている。ＲＯＭ１０２に格納されている各種プログラムには、図２で示したプロトコル取得部１１０から撮影制御部１９０などの機能を実現するためのプログラムが含まれる。
【００５８】
ネットワークインターフェース部１０４は、ネットワーク５００を介して、外部から共有の撮影プロトコルを取得したり、または、外部へ共有の撮影プロトコルを送信するために通信を行うためのインターフェース部である。
【００５９】
操作部１０５は、取得した共有の撮影プロトコルや共有プロトコルデータベース１３０に格納されている共有の撮影プロトコルに対し、修正や削除などの変更を行うための入力装置である。具体的には、操作部１０５は、キーボードとマウスにより構成されている。
【００６０】
表示部１６０は、配置ルールに従って撮影プロトコルをコンソールＡ上に表示する表示部として構成されている。この表示部１０６は、液晶ディスプレイやモニタなどにより構成されている。なお、本実施形態では、表示部１６０と操作部１０５とからコンソールＡを構成するようになっている。
【００６１】
記憶部１０７は、記憶メモリを構成する記憶部であり、ＲＡＭやハードディスクなどによって構成されている。本実施形態では、記憶部１０７は、例えば、共有プロトコルデータベース１３０を構成するようになっている。
【００６２】
本実施形態に係る医用画像診断装置１００は、ＲＯＭ１０２に格納されているプログラムを実行することにより、図２に示した医用画像診断装置１００の機能を実現することができる。
【００６３】
次に、本実施形態に係る医用画像診断装置１００が、撮影プロトコルをコンソールＡに表示する撮影プロトコル表示処理の動作について、図１から図３を参照しながら説明する。
【００６４】
（撮影プロトコル表示処理）
図４は、本実施形態に係る医用画像診断装置１００が、撮影プロトコルを外部から取得し、表示部１６０を備えるコンソールＡにおいて、その撮影プロトコルを表示する撮影プロトコル表示処理を示したフローチャートである。なお、図４において、Ｓに数字を付した符号は、フローチャートの各ステップを示している。
【００６５】
医用画像診断装置１００のプロトコル取得部１１０は、被検体を撮影するための設定を示す撮影プロトコルを取得する（ステップＳ００１）。なお、プロトコル取得部１１０は、ネットワーク５００を介して、医用画像診断装置２００から撮影プロトコルを取得してもよく、また配信サーバ３００から撮影プロトコルを取得してもよい。
【００６６】
医用画像診断装置１００のプロトコル格納部１２０は、プロトコル取得部１１０において取得した撮影プロトコルを、共有プロトコルデータベース１３０に格納する（ステップＳ００３）。
【００６７】
ここで、プロトコル格納部１２０が共有プロトコルデータベース１３０に格納する撮影プロトコルは、例えば、放射線科の管理者（承認者）によって承認された撮影プロトコルを対象としてもよく、または、熟練した診療放射線技師によって、作成・編集された撮影プロトコルを対象としてもよい。この場合、承認装置４００において承認されたり、編集された撮影プロトコルを対象とすることができる。
【００６８】
本実施形態ではこれに限らず、格納する撮影プロトコルは、医療用機器メーカから提供されるベストプラクティス（最善の設定条件）な撮影プロトコルや、デフォルト値（標準設定値）に設定された撮影プロトコルであってもよい。
【００６９】
また、臨床結果として多くのデータを収集したい場合には、対象疾病の撮影を実施するコンソール上に複数の撮影プロトコルを関連付けて共有プロトコルデータベース１３０に格納するようにしてもよい。
【００７０】
図５は、本実施形態に係る医用画像診断装置１００が、撮影プロトコルを共有する態様を示した説明図である。
【００７１】
図５（Ａ）では、医用画像診断装置１００または医用画像診断装置２００において使用される撮影プロトコルが、医用画像診断装置２０５のコンソールＣから配信される態様を示している。この場合、医用画像診断装置２０５は、コンソールＣにおいて使用されている撮影プロトコルを医用画像診断装置１００および医用画像診断装置２００に配信することにより、医用画像診断装置１００は、医用画像診断装置２００と医用画像診断装置２０５とにおいて、使用する撮影プロトコルを共有することができる。
【００７２】
図５（Ｂ）では、医用画像診断装置１００または医用画像診断装置２００において使用される撮影プロトコルが、共有データベース３０１を経由して、医用画像診断装置２０５のコンソールＣから配信される態様を示している。この場合、共有データベース３０１は、コンソールＣにおいて使用されている撮影プロトコルを、医用画像診断装置１００および医用画像診断装置２００に配信することにより、医用画像診断装置１００は、医用画像診断装置２００と、使用する撮影プロトコルを共有することができる。
【００７３】
図５（Ｃ）では、医用画像診断装置１００または医用画像診断装置２００において使用される撮影プロトコルが、配信サーバ３００を介して配信される態様を示している。この場合、配信サーバ３００は、医用画像診断装置２０５のコンソールＣにおいて使用されている撮影プロトコルを医用画像診断装置１００または医用画像診断装置２００に配信することにより、医用画像診断装置１００は、医用画像診断装置２００と、使用する撮影プロトコルを共有することができる。
【００７４】
なお、配信サーバ３００が配信する撮影プロトコルは、例えば、承認装置４００において承認された撮影プロトコルに限定してもよく、また、配信サーバ３００は、リクエストを取得した際に、承認装置４００で承認してから配信するようにしてもよい。
【００７５】
また、配信タイミングは、医用画像診断装置１００または医用画像診断装置２００からのリクエストが発生した際に、自動的に配信するようにしてよく、オンライン時または、オフラインからの復旧時に自動配信するようにしてもよい。
【００７６】
このように、本実施形態に係る医用画像診断装置１００は、各医用画像診断装置の共有プロトコルデータベース１３０に他の医用画像診断装置の撮影プロトコルを格納することにより、他の医用画像診断装置と撮影プロトコルを共有することができる。
【００７７】
医用画像診断装置１００のプロトコル配置設定部１４０は、表示部１６０の表示領域によってコンソールＡに表示画面を形成し、撮影プロトコルを配置する配置ルールに従って、コンソールＡの表示画面上に撮影プロトコルの配置する位置を設定する（ステップＳ００５）。
【００７８】
例えば、本実施形態では、同一名称の撮影プロトコルが２つある場合、コンフリクトが発生し、コンソール上でどちらの撮影プロトコルを表示すべきか医用画像診断装置１００は判断することができない。そのため、本実施形態に係る医用画像診断装置１００では、表示すべき撮影プロトコルについて、ユーザからの選択を受け付ける。
【００７９】
図６は、本実施形態に係る医用画像診断装置１００のプロトコル配置設定部１４０が、ユーザの選択により、撮影プロトコルを配置する位置を選択する例を示した説明図である。
【００８０】
図６では、プロトコル配置設定部１４０は、コンソールＡに表示させるＨｅｌｉｃａｌ＿ＥＣＧという撮影プロトコルについて、例えば、医用画像診断装置１００のコンソールＡで編集されたＨｅｌｉｃａｌ＿ＥＣＧを表示するか、医用画像診断装置２００のコンソールＢで編集されたＨｅｌｉｃａｌ＿ＥＣＧを表示するかの選択を受け付けて、配置する位置を設定する配置ルールになっている。
【００８１】
これにより、選択された撮影プロトコルが、ユーザが選択した配置位置に配置されるので、撮影プロトコルの配置位置を維持することができ、ユーザは、撮影プロトコルの取り違いを回避することができる。
【００８２】
なお、Ｈｅｌｉｃａｌ＿ＥＣＧとは、被爆の低減対策として、例えば、除脈の場合において、拡張中期にだけ十分にＸ線を照射する一方、あとの位相では照射線量を減らす撮影プロトコルの一例である。また、ＶＨＰ（Variable Helical Scan）とは、スキャン中に天板を停止することなく、ヘリカルピッチを変更してスキャンする撮影プロトコルの一例である。また、ＣＴＡ（Computed Tomography Angiography）は、減量した造影剤の注入されるタイミングと撮影時間の設定を行う撮影プロトコルの一例である。
【００８３】
また、プロトコル配置設定部１４０は、配置ルールに従って、予め標準位置による指定された位置に撮影プロトコルを配置するか、またはユーザによって配置場所が変更された位置に撮影プロトコルを配置するかの選択を受け付けて、撮影プロトコルの配置する位置を設定することもできる。
【００８４】
図７は、本実施形態に係る医用画像診断装置１００のプロトコル配置設定部１４０が、ユーザの選択により、表示部１６０上での配置位置を撮影コンソール（上述した表示画面のことである。）ごとに確保して配置を選択する例を示した説明図である。
【００８５】
図７では、一例として、プロトコル配置設定部１４０は、予め標準位置による指定された位置として、コンソールＡで表示されている撮影コンソールＡの撮影プロトコルを表示部１６０に表示させるか、または、ユーザによって配置位置が変更された位置として、コンソールＢで表示されている撮影コンソールＢの撮影プロトコルを表示部１６０に表示させるかの選択を受け付けて、配置する位置を設定する配置ルールになっている。
【００８６】
この場合も同様に、撮影プロトコルを配置する位置は、コンソールＡまたはコンソールＢなどのコンソール単位で同じ配置位置を維持することができるので、ユーザは撮影プロトコルの配置の変更による混乱を未然に回避することができる。
【００８７】
次に、医用画像診断装置１００を使用するユーザごとに設定されたコンソール上の配置位置に、撮影プロトコルの配置位置を設定する例について説明する。
【００８８】
図８は、本実施形態に係る医用画像診断装置１００のプロトコル配置設定部１４０が、ログインするユーザごとに予め配置位置が決定されており、その決定されている配置位置に撮影プロトコルを配置する例を示した説明図である。
【００８９】
図８の場合、プロトコル配置設定部１４０は、医用画像診断装置１００のコンソールＡに、ユーザＸに設定された撮影プロトコルを表示させるか、またはユーザＹに設定された撮影プロトコルを表示させるか、ログインするユーザ名で配置する位置を設定する配置ルールになっている。
【００９０】
図８（Ａ）では、例えば、ユーザＸが、医用画像診断装置１００にログインした場合、表示部１６０に表示される撮影プロトコルを示しており、図８（Ｂ）では、ユーザＹが、医用画像診断装置１００にログインした場合、表示部１６０に表示される撮影プロトコルを示している。
【００９１】
この場合も同様に、撮影プロトコルを配置する位置は、ユーザごとに同じ配置位置を維持することができるので、ユーザは、常に同じ位置に配置された撮影プロトコルを用いることができ、撮影プロトコルの選択ミスを防止することができる。
【００９２】
医用画像診断装置１００の撮影プロトコル表示制御部１５０は、設定されたコンソールＡの表示画面に撮影プロトコルを配置して、共有する撮影プロトコルを表示する（ステップＳ００７）。
【００９３】
図９は、本実施形態に係る医用画像診断装置１００の撮影プロトコル表示制御部１５０が、配置ルールに従って設定されたコンソールＡの配置位置に撮影プロトコルを配置し、その撮影プロトコルを表示部１６０に表示した場合の説明図である。
【００９４】
例えば、図９では、撮影プロトコルとして、Ｈｅｌｉｃａｌ＿ＥＣＧ、ＶＨＰ、およびＣＴＡが表示されている。また、表示部１６０における撮影プロトコルの左側には、患者の撮影位置を示す画像が表示されている。また、表示部１６０における撮影プロトコルの下側には、各種コマンドやテキスト入力ができる領域が設けられている。
【００９５】
図９の場合、ユーザの選択により、またはログインしたユーザ名により、撮影プロトコルの表示画面を決定し、撮影プロトコルを共有した場合であっても、コンソールＡにおける画面構成を常に同一の画面構成として維持することができることを示している。
【００９６】
例えば、医用画像診断装置１００の表示部１６０は、医用画像診断装置２００の表示部に表示された撮影プロトコルと同一の配置位置に同一の撮影プロトコルを表示することができる。これにより、本実施形態に係る医用画像診断装置１００は、医用画像診断装置２００に表示される表示部の画面構成と同一の画面構成を形成して、撮影プロトコルを表示することができる。
【００９７】
また、本実施形態に係る医用画像診断装置１００は、プロトコル送信部１７０を備えることができるため、表示部１６０に表示している撮影プロトコルや撮影コンソールを医用画像診断装置２００や配信サーバ３００に送信することができる（ステップＳ００９）。
【００９８】
例えば、プロトコル送信部１７０は、表示部１６０に表示されている撮影プロトコルを修正した場合や撮影コンソールを変更（または編集）した場合には、その修正や変更内容を撮影プロトコルに関する情報として医用画像診断装置２００や配信サーバ３００に送信し、撮影プロトコル表示処理を終了する。
【００９９】
以上説明したように、本実施形態に係る医用画像診断装置１００では、撮影プロトコル表示制御部１５０が、配置ルールに従って、コンソール上の配置場所に共有する撮影プロトコルを配置して、その撮影プロトコルを表示部１６０に表示する。
【０１００】
これにより、本実施形態に係る医用画像診断装置１００は、撮影プロトコルを共有した場合でも、表示部１６０のコンソールＡの画面構成を、例えば、医用画像診断装置２００の画面構成と同一の画面構成で表示することができる。
【０１０１】
この場合、医用画像診断装置１００の表示部１６０は、使用する装置が異なっていても、撮影プロトコルを同一の画面構成により表示することができるので、撮影プロトコルの選択ミスによる医療事故を未然に防ぐことができる。
【０１０２】
また、医用画像診断装置１００の表示部１６０は、撮影プロトコルについて同一の画面構成を表示部１６０に表示することができるので、配置位置の統一によって撮影の効率化を図ることもできる。
【０１０３】
なお、本実施形態では、撮影プロトコル表示処理におけるステップＳ００５において、医用画像診断装置１００のプロトコル配置設定部１４０が、コンソールＡの配置位置に、配置ルールに従って、撮影プロトコルを配置する位置を設定したが、これらに限定されるものではない。
【０１０４】
例えば、配置ルールにおいて、撮影プロトコルごとに優先順位を割り当てて、その割り当てられた優先順位に基づいて、プロトコル配置設定部１４０が、撮影プロトコルを配置する位置を設定するようにしてもよい。
【０１０５】
図１０は、本実施形態に係る医用画像診断装置１００において、配置ルールに優先順位を割り当てる第１の優先度の設定方法を示した説明図である。
【０１０６】
図１０に示すように、医用画像診断装置１００では、撮影プロトコルに対して優先度を設定する項目を備え、例えば、「管理者による承認」、「熟練者による編集」、および「臨床データ収集」という項目を設けることができる。
【０１０７】
医用画像診断装置１００は、図１０（Ａ）の説明図において、紙面右側から左側に向けて優先度が高くなっており、優先度が一番高い「管理者による承認」を示す欄に該当する撮影プロトコルの印を付すことにより、その撮影プロトコルは、表示部１６０の表示領域の中で最上位の位置に自動的に配置されるようになっている。
【０１０８】
そして、次に優先度の高い「熟練者による編集」を示す欄に該当する撮影プロトコルの印を付すことにより、その撮影プロトコルは、「管理者による承認」によって選択された撮影プロトコルの次に配置されるようになっている。
【０１０９】
また、「臨床データ収集」は、データ収集が主な目的であるため、優先順位が相対的に低く設定されている。このため、「臨床データ収集」を示す欄に該当する撮影プロトコルの印を付すことにより、その撮影プロトコルは、「熟練者による承認」によって選択された撮影プロトコルの次に配置されるようになっている。
【０１１０】
図１０（Ｂ）は、図１０（Ａ）で割り当てられた優先度に基づいて、撮影プロトコルを表示しており、表示部１６０のコンソールＡでは、「Ｈｅｌｉｃａｌ＿ＥＣＧ」、「ＶＨＰ」および「小児胸部」の順に配置され、表示されている。
【０１１１】
なお、撮影プロトコルの配置場所を変更する場合は、「管理者による承認」、「熟練者による編集」および「臨床データ収集」の中から、変更する優先度に応じて項目に印を付すことにより、撮影プロトコルの優先度を変更し配置場所を変更することができる。
【０１１２】
図１１は、本実施形態に係る医用画像診断装置１００において、配置ルールに優先順位を割り当てる第２の優先度の設定方法を示した説明図である。
【０１１３】
図１１に示すように、医用画像診断装置１００では、撮影プロトコルに対して、例えば、一番よく使われている撮影プロトコル（使用頻度の高い撮影プロトコル）が主要な撮影プロトコルとなるように、表示部１６０の最上位の位置に撮影プロトコルを配置するように設定されている。
【０１１４】
この場合、「使用頻度」に応じて優先度が設定されるようになっているが、他の判断基準として、「変更頻度」に応じて、優先度が設定されるようにしてもよい。これにより、例えば、撮影プロトコルの使用頻度が同率の場合には、「変更頻度」に応じて、変更頻度の高い撮影プロトコルについて、優先度を高く設定することができる。
【０１１５】
例えば、図１１（Ａ）では、「コンソールＡ」が選択されたとき、コンソールＡで使用頻度の一番高い撮影プロトコルとして、「Ｈｅｌｉｃａｌ＿ＥＣＧ」の撮影プロトコルが表示部１６０の最上位の位置に表示されるように配置される。
【０１１６】
また、「コンソールＢ」が選択されたときは、コンソールＢで使用頻度の一番高い撮影プロトコルは、「Ｈｅｌｉｃａｌ＿ＥＣＧ」と「ＶＨＰ」とで同率であるが、「Ｈｅｌｉｃａｌ＿ＥＣＧ」の撮影プロトコルの方が変更頻度が高いため、「Ｈｅｌｉｃａｌ＿ＥＣＧ」が表示部１６０の最上位の位置に表示されるように配置される。
【０１１７】
図１１（Ｂ）は、図１１（Ａ）で割り当てられた優先度に基づいて、撮影プロトコルを表示しており、表示部１６０のコンソールＡでは、「Ｈｅｌｉｃａｌ＿ＥＣＧ」、「ＶＨＰ」および「ＣＴＡ」の順に配置され、表示されている。
【０１１８】
なお、本実施形態では、使用頻度の最も高い撮影プロトコルが「ＶＨＰ」の場合には、１番優先度が高い撮影プロトコルとして「ＶＨＰ」が設定されるとともに、２番目に優先度が高い撮影プロトコルとして、変更頻度が高い順に基づいて、「Ｈｅｌｉｃａｌ＿ＥＣＧ」が設定されるようにしてもよい。
【０１１９】
また、本実施形態は、例えば、医用画像診断装置１００と医用画像診断装置２００の間で同一の撮影プロトコルを共有する場合、医用画像診断装置１００は、医用画像診断装置２００のコンソールＢで使用する撮影プロトコルを格納するとともに、医用画像診断装置２００は、コンソールＢで変更された撮影プロトコルの内容を、医用画像診断装置１００に直接に送信するようにしてもよい。
【０１２０】
この場合、医用画像診断装置１００は、プロトコル取得部１１０で取得した撮影プロトコルを、プロトコル配置設定部１４０に送出する。
【０１２１】
これにより、医用画像診断装置１００は、医用画像診断装置２００のコンソールＢにおいて、撮影プロトコルが修正や削除された場合、その修正や削除の内容をリアルタイムに医用画像診断装置１００の表示部１６０に反映させることができる。
【０１２２】
以上説明したように、本実施形態に係る医用画像診断装置１００では、ネットワーク５００を介して、医用画像診断装置２００や配信サーバ３００サーバから撮影プロトコルを取得して、撮影プロトコルを共有することができる。
【０１２３】
（第２の実施形態）
第２の実施形態では、第１の実施形態に加え、配置設定同期部をさらに備えるようになっている。
【０１２４】
図１２は、第２の実施形態に係る医用画像診断装置１００Ａの概略の構成の一例を示した概略構成図である。
【０１２５】
図１２に示すように、第２の実施形態に係る医用画像診断装置１００ＡのコンソールＡ１は、第１の実施形態に係るコンソールＡに対し、さらに配置設定同期部１８０を備えて構成されている。なお、同一の構成については同一の符号を付し、説明を省略する。
【０１２６】
配置設定同期部１８０は、表示部１６０上で表示している撮影プロトコルに対し、配置ルールの同期を取るようになっている。
【０１２７】
撮影プロトコル表示制御部１５０は、配置設定同期部１７０によって同期が取られた配置ルールにより、コンソールＡ１上の表示画面に表示される撮影プロトコルの画面構成を他の撮影プロトコルの画面構成と同一の画面構成となるように変更して、表示部１６０に表示させるようになっている。
【０１２８】
これにより、第２の実施形態に係る医用画像診断装置１００Ａは、撮影プロトコルを新規で導入した場合や一時的にオフラインで処理を実行していた場合にも、現在、他の装置で利用されている装置の撮影プロトコルの配置場所について同期を取ることができるので、同一の画面構成に統一させることができる。
【０１２９】
また、図１２では、一例として、撮影プロトコル表示制御部１５０が、配置ルールに従って他の撮影プロトコルの画面構成と同一の画面構成となるように変更し、表示部１６０に表示させるようになっているが、これに限定されるものではない。
【０１３０】
例えば、プロトコル配置設定部１４０を用いて、他の撮影プロトコルの画面構成と同一の画面構成となるように同期を取り、撮影プロトコルの配置する位置を変更するように設定した後、さらに、撮影プロトコル表示制御部１５０が、設定されたコンソール上の配置場所に撮影プロトコルを配置し、同期による差分を表示部１６０に表示させるようにしてもよい。
【０１３１】
また、第１の実施形態および第２の実施形態に示した医用画像診断装置の実施形態だけでなく、さらに表示部において、修正された撮影プロトコルの修正履歴を表示するようにしてもよい。
【０１３２】
例えば、撮影プロトコル表示制御部１５０は、撮影プロトコルが修正された修正履歴を、コンソールＡの配置場所における撮影プロトコル上に表示させることができる。
【０１３３】
図１３は、本実施形態に係る医用画像診断装置１００Ａの表示部１６０上において、表示されている撮影プロトコルが修正された場所を示した一例を示す説明図である。
【０１３４】
図１３に示すように、図１３（Ａ）では、表示部１６０のコンソールＡ１において、「Ｈｅｌｉｃａｌ＿ＥＣＧ」が１か所変更されたことを○印で示している。また、図１３（Ｂ）では、「Ｈｅｌｉｃａｌ＿ＥＣＧ」の撮影プロトコル上で、管電圧が１００[Ｖ]から１２０[Ｖ]に変更されたことを示している。
【０１３５】
図１３（Ａ）では、○印の中に数字が記されており、撮影プロトコルが変更された箇所や回数を示すようになっている。
【０１３６】
また、図１３（Ｂ）では、変更された管電圧の変更値が記載されているが、これに限定されるものではない。例えば、管電圧を変更した日付や管電圧を変更した医療従事者名、変更理由、変更した装置名などをさらに表示するようにしてもよい。
【０１３７】
図１４は、本実施形態に係る医用画像診断装置１００Ａの表示部１６０上において、表示されている撮影プロトコルが修正された場所をアイコンで示した一例を示す説明図である。
【０１３８】
図１４に示すように、図１４（Ａ）では、表示部１６０のコンソールＡ１において、「Ｈｅｌｉｃａｌ＿ＥＣＧ」の撮影プロトコルの管電圧が変更されたことを、アイコンを用いて示している。図１４（Ｂ）では、「Ｈｅｌｉｃａｌ＿ＥＣＧ」の撮影プロトコル上で、管電圧の撮影条件が変更された変更度合を、数値だけでなく、アイコンの色合いに応じて、例えば、アイコンの色合いを明暗や濃淡で表示することができることを示している。
【０１３９】
これにより、本実施形態では、撮影プロトコルを医用画像診断装置や配信サーバで共有するとともに、その撮影プロトコルの変更履歴や修正履歴に応じて、その撮影プロトコル上で変更履歴や修正履歴を表示することができる。
【０１４０】
また、変更履歴や修正履歴に限定されるものではなく、例えば、撮影プロトコルが配信された医用画像診断装置のモデル名、バージョンを含めてもよく、また、撮影プロトコルの配信元となるコンソール名に関する情報を表示するようにしてもよい。
【０１４１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【０１４２】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【０１４３】
Ａ、Ａ１、Ｂ  コンソール
１０Ａ、２０Ｂ  撮影部
１００、１００Ａ  医用画像診断装置（第１の医用画像診断装置）
１０１  ＣＰＵ
１０２  ＲＯＭ
１０３  ＲＡＭ
１０４  ネットワークインターフェース部
１０５  操作部
１０７  記憶部
１０８  内部バス
１１０  プロトコル取得部
１１５  プロトコル通信部
１２０  プロトコル格納部
１３０  共有プロトコルデータベース
１４０  プロトコル配置設定部
１４５  撮影プロトコル選択部
１５０  撮影プロトコル表示制御部
１６０  表示部
１７０  プロトコル送信部
１８０  配置設定同期部
１９０  撮影制御部
２００  医用画像診断装置（第２の医用画像診断装置）
３００  配信サーバ（医用情報処理サーバ）
３１０  プロトコル通信部
３２０  プロトコル格納部
４００  承認端末
５００  ネットワーク
６００  撮影プロトコル共有システム（医用画像診断システム）
【図１】
0006462257.tif 000002
【図２】
0006462257.tif 000003
【図３】
0006462257.tif 000004
【図４】
0006462257.tif 000005
【図５】
0006462257.tif 000006
【図６】
0006462257.tif 000007
【図７】
0006462257.tif 000008
【図８】
0006462257.tif 000009
【図９】
0006462257.tif 000010
【図１０】
0006462257.tif 000011
【図１１】
0006462257.tif 000012
【図１２】
0006462257.tif 000013
【図１３】
0006462257.tif 000014
【図１４】
0006462257.tif 000015